(57)【要約】      （修正有）【課題】予め登録されている設定値群を有効に利用することのできる画像処理装置、画像処理プログラムを提供する。【解決手段】ジョブメモリ取得部３２が記憶されているジョブメモリの設定値群から一部の設定値を取得し、この設定ををパラメータ設定部３３が設定値として利用する。複数の設定値群に含まれる異なる一部の設定値を組合わせて、画像処理に要する設定値の少なくとも一部として設定する。【選択図】図３
2010187087.tif 000002
【特許請求の範囲】
【請求項１】
識別情報と、処理を実行するための複数の設定値からなる設定値群とを対応付けて記憶する記憶手段と、
前記記憶手段から前記識別情報に対応付けられた設定値群に含まれる一部の設定値を画像処理に要する設定値の少なくとも一部として設定する設定手段と、
前記設定手段により設定された設定値に基づいて処理を実行する処理手段と
を具備することを特徴とする画像処理装置。
【請求項２】
前記記憶手段は、複数の識別情報と該識別情報のそれぞれに対応付けられた設定値群とを記憶し、
前記設定手段は、前記識別情報のうち少なくとも2つの識別情報のそれぞれに対応付けられた設定値群に含まれる異なる一部の設定値を組合わせて、画像処理に要する設定値の少なくとも一部として設定する
ことを特徴とする請求項１記載の画像処理装置。
【請求項３】
前記記憶手段は、前記設定値群を設定値の機能に分類して記憶し、
前記設定手段は、特定の機能に分類された設定値を、前記一部の設定値として設定する
ことを特徴とする請求項１または２に記載の画像処理装置。
【請求項４】
コンピュータを、
識別情報と該識別情報に関連付けられた設定値群とを記憶する記憶手段から前記識別情報に関連付けられた設定値群の一部の設定値を取得する取得処理と、
前記取得処理で取得した設定値を画像処理に要する設定値群の少なくとも一部として設定する設定処理と
して機能させるための画像処理プログラム。
【請求項５】
前記記憶手段は、複数の識別情報と該識別情報のそれぞれに関連付けられた設定値群とを記憶し、
前記取得処理は、前記識別情報のうち異なる識別情報に関連付けられた設定値群のそれぞれから一部の設定値を取得し、
前記設定処理は、前記取得処理で複数の設定値群のそれぞれから取得した設定値を組み合わせて画像処理に要する設定値群の少なくとも一部として設定する
ことを特徴とする請求項４記載の画像処理プログラム。
【請求項６】
前記識別情報のうち前記取得処理が設定値を取得する対象となる識別情報の組み合わせを前記記憶手段に登録する登録処理をさらに前記コンピュータに実行させ、
前記取得処理は、前記登録処理により登録された識別情報の組み合わせに基づいて設定値を取得する
ことを特徴とする請求項５記載の画像処理プログラム。
【発明の詳細な説明】
【技術分野】
【０００１】
本発明は、画像処理装置、画像処理プログラムに関する。
【背景技術】
【０００２】
プリンタ等の画像形成装置、スキャナ等の画像読取装置、ファクシミリ等の画像通信装置、これらの機能や他の機能を適宜有する画像処理装置等においては、各種処理を行う際に要する設定値群を予め登録し、登録した設定値群を呼び出して処理を行うことを可能にしたものがある。
【０００３】
この設定値群を登録する機能には、ジョブメモリと称されるものがあり、２つのジョブメモリを利用して設定を行う技術（例えば、特許文献１参照）や、ジョブメモリを利用して設定値群を呼び出す際に、一部を既に設定している設定値に固定する技術（例えば、特許文献２参照）等が提案されている。
【先行技術文献】
【特許文献】
【０００４】
【特許文献１】特開平１１−３３１４４６号公報
【特許文献２】特開２００６−６７２１０号公報
【発明の概要】
【発明が解決しようとする課題】
【０００５】
本発明は、複数の機能に対する設定値を登録した設定値群を用いて処理を実行する場合の、登録されている設定値群に含まれる少なくとも一部を有効に利用することのできる画像処理装置、画像処理プログラムを提供することを目的とする。
【課題を解決するための手段】
【０００６】
上述した目的を達成するため、請求項１の発明は、識別情報と、処理を実行するための複数の設定値からなる設定値群とを対応付けて記憶する記憶手段と、前記記憶手段から前記識別情報に対応付けられた設定値群に含まれる一部の設定値を画像処理に要する設定値の少なくとも一部として設定する設定手段と、前記設定手段により設定された設定値に基づいて処理を実行する処理手段とを具備することを特徴とする。
【０００７】
また、請求項２の発明は、請求項１の発明において、前記記憶手段は、複数の識別情報と該識別情報のそれぞれに対応付けられた設定値群とを記憶し、前記設定手段は、前記識別情報のうち少なくとも2つの識別情報のそれぞれに対応付けられた設定値群に含まれる異なる一部の設定値を組合わせて、画像処理に要する設定値の少なくとも一部として設定することを特徴とする。
【０００８】
また、請求項３の発明は、請求項１または２の発明において、前記記憶手段は、前記設定値群を設定値の機能に分類して記憶し、前記設定手段は、特定の機能に分類された設定値を、前記一部の設定値として設定することを特徴とする。
【０００９】
また、請求項４の発明は、コンピュータを、識別情報と該識別情報に関連付けられた設定値群とを記憶する記憶手段から前記識別情報に関連付けられた設定値群の一部の設定値を取得する取得処理と、前記取得処理で取得した設定値を画像処理に要する設定値群の少なくとも一部として設定する設定処理として機能させることを特徴とする。
【００１０】
また、請求項５の発明は、請求項４の発明において、前記記憶手段は、複数の識別情報と該識別情報のそれぞれに関連付けられた設定値群とを記憶し、前記取得処理は、前記識別情報のうち異なる識別情報に関連付けられた設定値群のそれぞれから一部の設定値を取得し、前記設定処理は、前記取得処理で複数の設定値群のそれぞれから取得した設定値を組み合わせて画像処理に要する設定値群の少なくとも一部として設定することを特徴とする。
【００１１】
また、請求項６の発明は、請求項５の発明において、前記識別情報のうち前記取得処理が設定値を取得する対象となる識別情報の組み合わせを前記記憶手段に登録する登録処理をさらに前記コンピュータに実行させ、前記取得処理は、前記登録処理により登録された識別情報の組み合わせに基づいて設定値を取得することを特徴とする。
【発明の効果】
【００１２】
請求項１の発明によれば、本構成を採用しない場合と比較して、設定値群に含まれる設定値のうち、所望の一部の設定値を利用したい場合における利便性を向上することが可能となる。
【００１３】
また、請求項２の発明によれば、複数の設定値群の一部同士を組合わせた数の分だけ、組合わせた設定値群を個々に登録しなければならない装置と比較して、設定値群を記憶する容量の削減が可能となる。
【００１４】
また、請求項３の発明によれば、記憶されている設定値群を容易に選択することが可能となる。
【００１５】
また、請求項４の発明によれば、複数の機能に関する設定値群のうち、所望の設定値を利用することが可能となる。
【００１６】
また、請求項５の発明によれば、記憶されている設定値群を柔軟に利用することが可能となる。
【００１７】
また、請求項６の発明によれば、記憶されている設定値群を容易に選択することが可能となる。
【図面の簡単な説明】
【００１８】
【図１】画像処理装置の構成例を示した図である。
【図２】制御部１０の構成例を示した図である。
【図３】制御部１０の機能的な構成例を示すブロック図である。
【図４】パラメータ設定処理の流れを示すフローチャートである。
【図５】取得処理の流れを示すフローチャートである。
【図６】登録されているジョブメモリの設定値の例を示した図である。
【図７】設定画面例を示した図である。
【図８】設定画面例を示した図である。
【図９】設定画面例を示した図である。
【図１０】登録されているジョブメモリの設定値の例を示した図である。
【図１１】設定画面例を示した図である。
【図１２】設定画面例を示した図である。
【図１３】設定画面例を示した図である。
【図１４】設定画面例を示した図である。
【発明を実施するための形態】
【００１９】
以下、本発明に係る画像処理装置、画像処理プログラムの一実施の形態について、添付図面を参照して詳細に説明する。
【実施例】
【００２０】
図１は、画像処理装置の構成例を示した図である。同図に示す画像処理装置１は、制御部１０と、設定記憶部１１、ジョブメモリ記憶部１２、画像入力部１３、画像出力部１４、ファイル記憶部１５、表示制御部１６、入力受付部１７、ネットワーク接続制御部１８、通信制御部１９を具備して構成される。
【００２１】
制御部１０は、他の各部を制御し、画像処理装置１に各種のジョブを実行させる。設定記憶部１１は、画像処理装置１がジョブを実行する際の各設定値（パラメータ）を一時的に記憶する。ジョブメモリ記憶部１２は、画像処理装置１がジョブを実行する際の設定値のセットをジョブメモリとして１以上記憶する。
【００２２】
画像入力部１３は、図示しない原稿台若しくはドキュメントフィーダに載置された原稿を読み取って画像データを生成する。画像出力部１４は、画像データに基づいて用紙上に画像を形成する印刷出力を行う。ファイル記憶部１５は、画像入力部１３が生成した画像データや、ネットワークを介して入力された画像データ等の各種ファイルを記憶する。
【００２３】
表示制御部１６は、図示しないタッチパネル等の表示装置に対して、各種の情報を表示させる。入力受付部１７は、図示しないタッチパネル等の入力装置から入力される指示や情報を受け付ける。ネットワーク接続制御部１８は、ネットワークとの接続を制御し、各種ファイル等の授受、インターネットファックスの送受信等を行う。通信制御部１９は、電話回線と接続され、ファックスの送受信等を行う。
【００２４】
また、制御部１０は、図２に示すような構成を有している。図２は、制御部１０の構成例を示した図である。
【００２５】
同図に示すように、制御部１０は、演算部２１と、記憶部２２、一時記憶部２３、接続部２４を有している。
【００２６】
演算部２１は、演算処理を行うもので、例えば、ＣＰＵ（Central Processing Unit）等のプロセッサにより実現されるものである。記憶部２２は、情報等を記憶するもので、例えば、ＲＯＭ（Read Only Memory）、不揮発性メモリ(Nonvolatile Memory)等のメモリで実現されるものである。一時記憶部２３は、情報等を一時的に記憶するもので、例えば、ＲＡＭ（Random Access Memory）等のメモリで実現されるものである。接続部２４は、制御部１０と図１に示した他の各部を接続するためのインタフェイスである。
【００２７】
制御部１０は、演算部２１が記憶部２２に記憶さているプログラムにしたがって各機能部を実現し、画像処理装置１を制御する。
【００２８】
ここで、制御部１０が実現する機能部について説明する。ただし、ここでは、ジョブメモリに関する機能部のみを説明し、他の機能部についての説明は省略する。
【００２９】
図３は、制御部１０の機能的な構成例を示すブロック図である。同図に示す構成例では、制御部１０は、指示入力取得部３１と、ジョブメモリ取得部３２、パラメータ設定部３３、表示情報出力部３４、パラメータ出力部３５の各機能部を有している。
【００３０】
指示入力取得部３１は、入力受付部１７が受け付けた指示入力のうち、パラメータ設定に関係する指示入力を取得する。ジョブメモリ取得部３２は、指示入力取得部３１が取得した指示入力がジョブメモリの取得を要するものである場合に、ジョブメモリ記憶部１２から該当するジョブメモリの内容（設定値）を取得する。パラメータ設定部３３は、指示入力取得部３１が取得した設定値の設定指示やジョブメモリ取得部３２が取得したジョブメモリの設定値に基づいて設定値の設定を行う。表示情報取得部３４は、ジョブメモリ取得部３２がジョブメモリの一覧を取得したり、パラメータ設定部３３が設定値の設定を変更した場合等に、表示制御部１６が表示を更新するのに要する表示情報を出力する。パラメータ出力部３５は、パラメータ設定部３３が設定した設定値が確定した場合に、確定した設定値を設定記憶部１１に出力する。
【００３１】
次に、制御部１０によるパラメータ設定処理の流れを説明する。図４は、パラメータ設定処理の流れを示すフローチャートである。
【００３２】
パラメータ設定処理では、指示入力取得部３１が指示入力を取得し（ステップ１０１でＹＥＳ）、当該指示入力が画面の表示変更要求であった場合には（ステップ１０２でＹＥＳ）、表示情報を取得し（ステップ１０３）、取得した表示情報を表示情報出力部３４が出力して表示制御部１６に表示画面を更新させる（ステップ１０４）。表示情報は、操作画面の変更のみであれば表示情報出力部３４が有している情報のみで、ジョブメモリの一覧表示であればジョブメモリ取得部３２がジョブメモリ記憶部１２からジョブメモリの情報を取得し、現に設定されている設定値を表示するのであれば、パラメータ設定部３３が有している設定値を取得し、表示情報出力部３４が有している情報と併せて表示情報となる。
【００３３】
また、指示入力取得部３１が取得した指示入力が設定値の入力であった場合には（ステップ１０１でＹＥＳ、ステップ１０２でＮＯ、ステップ１０５でＹＥＳ）、パラメータ設定部３３が指示入力に基づいて設定値を変更し（ステップ１０６）、変更した設定値と表示情報出力部３４が有している情報を表示情報として表示情報出力部３４が出力し、表示制御部１６に表示画面を更新させる（ステップ１０７）。
【００３４】
また、指示入力取得部３１が取得した指示入力が設定値の入力取り消し要求であった場合には（ステップ１０１でＹＥＳ、ステップ１０２でＮＯ、ステップ１０５でＮＯ、ステップ１０８でＹＥＳ）、パラメータ設定部３３が指示入力に基づいて設定値を元の値に変更し（ステップ１０９）、変更した設定値と表示情報出力部３４が有している情報を表示情報として表示情報出力部３４が出力し、表示制御部１６に表示画面を更新させる（ステップ１１０）。
【００３５】
また、指示入力取得部３１が取得した指示入力がジョブメモリの呼び出し要求であった場合には（ステップ１０１でＹＥＳ、ステップ１０２でＮＯ、ステップ１０５でＮＯ、ステップ１０８でＮＯ、ステップ１１１でＹＥＳ）、後述する取得処理を行う（ステップ１１２）。
【００３６】
また、指示入力取得部３１が取得した指示入力が上記のいずれでもなかった（ここでは、パラメータ設定の確定要求のみが上記のいずれにも該当しないものとしている）場合には（ステップ１０１でＹＥＳ、ステップ１０２でＮＯ、ステップ１０５でＮＯ、ステップ１０８でＮＯ、ステップ１１１でＮＯ）、パラメータ出力部３５がパラメータ設定部３３に設定されている設定値を設定記憶部１１に出力し（ステップ１１３）、パラメータ設定処理を終了する。
【００３７】
続いて、ステップ１１２での取得処理について説明する。図５は、取得処理の流れを示すフローチャートである。
【００３８】
取得処理では、ジョブメモリの呼び出し要求が、該当するジョブメモリの全ての設定値を呼び出す要求であれば（ステップ２０１でＮＯ）、ジョブメモリ取得部３２が指定されたジョブメモリの全ての設定値を取得し（ステップ２０２）、取得した設定値に基づいてパラメータ設定部３３が設定値を変更し（ステップ２０３）、変更した設定値と表示情報出力部３４が有している情報を表示情報として表示情報出力部３４が出力し、表示制御部１６に表示画面を更新させ（ステップ２０４）、取得処理を終了する。
【００３９】
一方、ジョブメモリの呼び出し要求が、該当するジョブメモリの一部の設定値を呼び出す要求であれば（ステップ２０１でＹＥＳ）、ジョブメモリ取得部３２が指定されたジョブメモリの指定された設定値を取得し（ステップ２０５）、取得した設定値に基づいてパラメータ設定部３３が設定値を変更する（ステップ２０６）。そして、この設定値の取得と設定値の変更を指定された全ジョブメモリに対して繰り返し（ステップ２０７でＮＯ）、指定された全ジョブメモリから指定された設定値を取得すると（ステップ２０７でＹＥＳ）、変更した設定値と表示情報出力部３４が有している情報を表示情報として表示情報出力部３４が出力し、表示制御部１６に表示画面を更新させ（ステップ２０４）、取得処理を終了する。
【００４０】
次に、ジョブメモリの一部の設定値を呼び出す処理の具体例を数例説明する。
【００４１】
図６は、登録されているジョブメモリの設定値の例を示した図である。本実施例は、画像処理装置の処理機能によって、設定値を分類して、それぞれの処理機能ごとにジョブメモリを読み出すことを可能にした例である。たとえば、画像処理装置の処理機能として、スキャナ等の画像入力部によるスキャン機能、プリンタ等の画像出力部によるプリント機能、ネットワーク接続制御部や通信制御部による転送機能などに分類することが可能である。同図に示した例は、ジョブメモリ１、ジョブメモリ２、ジョブメモリ３のいずれも、原稿を読み取る際の読み取り設定、画像を印刷出力する際のプリント設定、画像をファイルとして転送出力する際の転送設定に対して設定値が登録されている。
【００４２】
画像処理装置１は、このジョブメモリを呼び出す画面として、例えば、図７に示す画面３０１を表示する。画面３０１には、呼び出し対象となるジョブメモリを選択するためのジョブメモリ選択欄３０２と、ジョブメモリ選択欄３０２で選択したジョブメモリの全設定値の呼び出しを指定するための全指定欄３０３、ジョブメモリ選択欄３０２で選択したジョブメモリの一部である読み取り設定のみを呼び出す指定をするための読み取り設定指定欄３０４、ジョブメモリ選択欄３０２で選択したジョブメモリの一部である転送設定のみを呼び出す指定をするための転送設定指定欄３０５等が表示されている。
【００４３】
この画面３０１では、全指定欄３０３でジョブメモリの全設定値の呼び出しを指定して、例えば、ジョブメモリ２を呼び出すと、ジョブメモリ２に登録されている全設定値が呼び出され、その状態で画像処理装置１を動作させると、呼び出された設定値に従って、スキャン機能とプリント機能、転送機能が実行される。
【００４４】
これに対して、画面３０１で、読み取り設定指定欄３０４で読み取り設定の呼び出しを指定し、さらに、転送設定指定欄３０５で転送設定の呼び出しを指定して、ジョブメモリ２を呼び出すと、ジョブメモリ２の読み取り設定と転送設定が呼び出され、その状態で画像処理装置１を動作させると、呼び出された読み取り設定と転送設定の設定値にしたがって、スキャン機能と転送機能が実行される。
【００４５】
一部の処理機能の設定を呼び出して画像処理を実行するにあたり、呼び出された設定条件以外の設定値を適宜所望の設定値に設定したり、あるいは呼び出された設定値を修正して、画像処理機能を実行することができてもよい。
【００４６】
上記したような、呼び出すジョブメモリを指定したうえで、呼び出された設定値に応じた処理機能を実行する呼び出し方ではなく、実行したい処理を選択したうえで、その処理の実行に対する設定値を、登録されたジョブメモリの分類によって指定する方法も考えられる。
【００４７】
ここでは、コピー処理を実行する場合についての実施形態を例に挙げて説明する。
【００４８】
画像処理装置１は、図示しない機能選択画面でコピー機能を選択すると、図８に示す画面３１１を表示する。画面３１１には、ジョブメモリのうちコピー設定（読み取り設定とプリント設定）の呼び出しをする際のジョブメモリを選択するジョブメモリ選択欄３１２と、ジョブメモリのうち読み取り設定の呼び出しをする際のジョブメモリを選択する読み取り設定ジョブメモリ選択欄３１３、ジョブメモリのうちプリント設定の呼び出しをする際のジョブメモリを選択するプリント設定ジョブメモリ選択欄３１４等が表示されている。
【００４９】
この画面３１１では、ジョブメモリ選択欄３１２でジョブメモリを選択して呼び出すと、選択されたジョブメモリのうち、コピー設定の設定値が呼び出される。例えば、ジョブメモリ選択欄３１２でジョブメモリ１を選択して呼び出すと、コピー処理を実行するためのジョブメモリとして、ジョブメモリ１の読み取り設定である［フルカラー／Ａ４］の設定と、ジョブメモリ２のプリント設定である［片面／左パンチ］の設定値が、コピーを行うための設定値として呼び出される。また、読み取り設定ジョブメモリ選択欄３１３でジョブメモリを選択して呼び出すと、選択されたジョブメモリのうち、読み取り設定の設定値が呼び出され、プリント設定ジョブメモリ選択欄３１４でジョブメモリを選択して呼び出すと、選択されたジョブメモリのうち、プリント設定の設定値が呼び出される。例えば、読み取り設定ジョブメモリ選択欄３１３でジョブメモリ１を選択するとともに、プリント設定ジョブメモリ選択欄３１４でジョブメモリ２を選択して呼び出すと、コピー処理を実行するためのジョブメモリとして、ジョブメモリ１の読み取り設定である［フルカラー／Ａ４］の設定値と、ジョブメモリ２のプリント設定である［両面／右パンチ］の設定値が呼び出され、コピーを行うための設定値として両者を組合わせた設定でスキャン処理およびプリント処理の実行、つまりコピー処理の実行が可能となる。本実施形態の場合においても、適宜呼び出した設定値を変更したり、呼び出していない設定値を適宜所望の設定値に設定したうえで、コピー処理の開始を指示することができてもよい。
【００５０】
また、画像処理装置１は、画面３１１に代えて、図９に示す画面３２１を表示するようにしてもよい。この画面３２１は、画面３１１の各表示に加えて、読み取り設定とプリント設定を組み合わせて呼び出す際のジョブメモリを選択するジョブメモリ選択欄３２５が表示されている。このジョブメモリ選択欄３２５は、読み取り設定ジョブメモリ選択欄３１３とプリント設定ジョブメモリ選択欄３１４の両者を利用してジョブメモリを呼び出す処理と、同様の呼び出し処理を指示するためのもので、例えば、ジョブメモリ１＋２を選択して呼び出すと、読み取り設定としてジョブメモリ１の読み取り設定値である［フルカラー／Ａ４］の設定値と、プリント設定としてジョブメモリ２のプリント設定値である［両面／右パンチ］の設定値が組み合わされ、コピーを行うための設定値として呼び出される。
【００５１】
上記実施の形態では、いずれも登録したジョブメモリを、画像処理装置の処理機能によって分類して、それぞれの処理機能ごとに設定値を読み出す場合について説明したが、続いて、ジョブメモリを他の分類種別により分類した場合について説明する。
【００５２】
図１０は、登録されているジョブメモリの設定値の例を示した図である。同図に示した例では、ジョブメモリ１、ジョブメモリ２、ジョブメモリ３のいずれも、設定画面の設定分類に合わせた基本設定と編集設定とに分類して、それぞれの設定項目に対して設定値が登録されている例となっている。
【００５３】
画像処理装置１は、コピー機能を実行する際の条件を指定するための設定画面として、基本設定を指定する際には、図１１に示す基本設定画面４０１を表示する。基本設定画面４０１には、ジョブメモリのうち基本設定の呼び出しをする際のジョブメモリを選択する基本設定ジョブメモリ選択欄４０２等が表示されている。
【００５４】
この基本設定画面４０１では、基本設定ジョブメモリ選択欄４０２でジョブメモリを選択して呼び出すと、選択されたジョブメモリとして登録されている設定値のうち、基本設定の設定値が呼び出される。例えば、基本設定ジョブメモリ選択欄４０２でジョブメモリ１を選択して呼び出すと、ジョブメモリ１として登録された設定値のうち、基本設定に関する設定値である［フルカラー／Ａ４／片面／左パンチ］の設定値が、コピーを行うための基本設定の設定値として呼び出される。
【００５５】
また、画像処理装置１は、コピー機能を実行する際の条件を指定するための画面として、編集設定を指定する際には、図１２に示す編集設定画面４１１を表示する。編集設定画面４１１には、ジョブメモリのうち編集設定の呼び出しをする際のジョブメモリを選択する編集設定ジョブメモリ選択欄４１２等が表示されている。
【００５６】
この編集設定画面４１１では、編集設定ジョブメモリ選択欄４１２でジョブメモリを選択して呼び出すと、選択されたジョブメモリとして登録されている設定値のうち、編集設定の設定値が呼び出される。例えば、編集設定ジョブメモリ選択欄４１２でジョブメモリ２を選択して呼び出すと、ジョブメモリ２として登録された設定値のうち、編集設定に関する設定値である［合成印刷しない／合紙挿入する］の設定値が、コピーを行うための編集設定の設定値として呼び出される。
【００５７】
したがって、画像処理装置１では、基本設定画面４０１でジョブメモリ１を呼び出し、編集設定画面４１１でジョブメモリ２を呼び出すと、ジョブメモリ１として登録された設定値のうち基本設定に関する［フルカラー／Ａ４／片面／左パンチ］の設定値と、ジョブメモリ２として登録された設定値のうち編集設定に関する［合成印刷しない／合紙挿入する］の設定値が呼び出され、コピーを行うための設定値として両者を組合わせた設定でコピー処理の実行が可能となる。本実施の形態においても、適宜呼び出した基本設定の設定値や編集設定の設定値を変更したり、呼び出されていない設定値を所望の設定値に設定したうえで、コピー処理の開始を指示するようにしてもよい。
【００５８】
また、画像処理装置１では、ジョブメモリを呼び出すための画面として、図１３に示す画面４２１を表示する。画面４２１には、ジョブメモリのうち基本設定と編集設定の両者を呼び出しをする際のジョブメモリを選択するジョブメモリ選択欄４２２等が表示されている。
【００５９】
この画面４２１では、ジョブメモリ選択欄４２２でジョブメモリを選択して呼び出すと、選択されたジョブメモリのうち、基本設定と編集設定の設定値が呼び出される。例えば、ジョブメモリ選択欄４２２でジョブメモリ１を選択して呼び出すと、［フルカラー／Ａ４／片面／左パンチ／合成印刷する／合紙挿入しない］の条件でコピーを行うための設定値が呼び出される。
【００６０】
また、画像処理装置１は、画面４２１に代えて、図１４に示す画面４３１を表示するようにしてもよい。この画面４３１は、画面４２１の各表示に加えて、基本設定と編集設定を組み合わせて呼び出す際のジョブメモリを選択するジョブメモリ選択欄４３３が表示されている。このジョブメモリ選択欄４３３は、ジョブメモリ選択欄４１１とジョブメモリ選択欄４１２の両者を利用してジョブメモリを呼び出す処理と同様の処理を指示するためのもので、例えば、ジョブメモリ１＋２を選択して呼び出すと、ジョブメモリ１として登録された設定値のうち基本設定に関する［フルカラー／Ａ４／片面／左パンチ］の設定値と、ジョブメモリ２として登録された設定値のうち編集設定に関する［合成印刷しない／合紙挿入する］の設定値が呼び出され、コピーを行うための設定値として両者を組合わせた設定でコピー処理の実行が可能となる。
【００６１】
なお、本発明の実施形態として、ＣＰＵで実行されるプログラムが、ＲＯＭ等の記憶部に格納されているものとして説明をしたが、ＲＯＭ以外のＨＤＤ（Hard Disk Drive）や、外部に設けられた記憶部に格納されているものであってもよい。また、このようなプログラムを、ネットワーク等の通信回線を介して外部からデータ信号として受信されるものであってもよく、さらにＤＶＤ−ＲＯＭ（Digital Versatile Disk Read Only Memory）などのコンピュータで読み取り可能な記憶媒体に格納された状態で提供されるものであっても良い。
【符号の説明】
【００６２】
１    画像処理装置
１０    制御部
１１    設定記憶部
１２    ジョブメモリ記憶部
１３    画像入力部
１４    画像出力部
１５    ファイル記憶部
１６    表示制御部
１７    入力受付部
１８    ネットワーク接続制御部
１９    通信制御部
２１    演算部
２２    記憶部
２３    一時記憶部
２４    接続部
３１    指示入力取得部
３２    ジョブメモリ取得部
３３    パラメータ設定部
３４    表示情報出力部
３５    パラメータ出力部
３０１    画面
３０２    ジョブメモリ選択欄
３０３    全指定欄
３０４    一部指定欄
３０５    一部指定欄
３１１    画面
３１２    ジョブメモリ選択欄
３１３    ジョブメモリ選択欄
３１４    ジョブメモリ選択欄
３２１    画面
３２５    ジョブメモリ選択欄
４０１    画面
４０２    ジョブメモリ選択欄
４１１    画面
４１２    ジョブメモリ選択欄
４２１    画面
４２２    ジョブメモリ選択欄
４３１    画面
４３３    ジョブメモリ選択欄
【図１】
2010187087.tif 000003
【図２】
2010187087.tif 000004
【図３】
2010187087.tif 000005
【図４】
2010187087.tif 000006
【図５】
2010187087.tif 000007
【図６】
2010187087.tif 000008
【図７】
2010187087.tif 000009
【図８】
2010187087.tif 000010
【図９】
2010187087.tif 000011
【図１０】
2010187087.tif 000012
【図１１】
2010187087.tif 000013
【図１２】
2010187087.tif 000014
【図１３】
2010187087.tif 000015
【図１４】
2010187087.tif 000016